(57)【要約】【課題】  引出し式の扉を有する冷蔵庫において、収納性に優れた容器構成を備えた冷蔵庫を提供する。【解決手段】  引出し式の扉とともに引き出される容器を上下２段で構成し、下段容器の開口部の一部を覆う上段容器５を下段容器上を前後にスライド移動可能１０とし、上段容器５の底面を複数段とすることによって深さの異なる収納部７、８を複数備えた冷蔵庫において、上段容器５の底面に、転がり防止形状１１を有する構成とした。【選択図】  図２
2006183898.tif 000002
【特許請求の範囲】
【請求項１】
引出し式の扉とともに引き出される容器を上下２段で構成し、下段容器の開口部の一部を覆う上段容器を前記下段容器上を前後にスライド移動可能とし、前記上段容器の底面を複数段とすることによって深さの異なる収納部を複数備えた冷蔵庫において、
前記上段容器の各収納部の底面にそれぞれ異なる形状の転がり防止形状を有する冷蔵庫。
【請求項２】
引出し式の扉とともに引き出される容器を上下２段で構成し、下段容器の開口部の一部を覆う上段容器を前記下段容器上を前後にスライド移動可能とし、前記上段容器の底面を複数段とすることによって深さの異なる収納部を複数備えた冷蔵庫において、
前記深さの異なる収納部の各収納部の底面形状をそれぞれ異なる形状とした冷蔵庫。
【請求項３】
引出し式の扉とともに引き出される容器を上下２段で構成し、下段容器の開口部の一部を覆う上段容器を前記下段容器上を前後にスライド移動可能とし、前記上段容器の底面に段部を有して深さの異なる収納部を備えた冷蔵庫において、
前記上段容器及び下段容器はともに樹脂材料からなり、前記深さの異なる収納部のうち、深い方の収納部の底面形状を、浅い方の収納部よりも大きな断面係数となる形状として収納部底面の強度を高めた冷蔵庫。
【請求項４】
引出し式の扉とともに引き出される容器を上下２段で構成し、下段容器の開口部の一部を覆う上段容器を前記下段容器上を前後にスライド移動可能とし、前記上段容器の底面に段部を有して深さの異なる収納部を備えた冷蔵庫において、
前記上段容器及び下段容器はともに樹脂材料からなり、前記深さの異なる収納部のうち、深い方の収納部の底面形状を、平面形状よりも大きな断面係数となる形状として収納部底面の強度を高めた冷蔵庫。
【請求項５】
前記深さの異なる収納部のうち、深い方の収納部の底面を曲率Ｒを有する円弧が左右方向隣り合って形成された形状とした請求項１乃至４のいずれかに記載の冷蔵庫。
【請求項６】
前記上段容器の周囲壁の高さを２Ｒ以上とした請求項５に記載の冷蔵庫。
【請求項７】
前記円弧の最下点位置を下底部とし、左右方向に隣り合って形成された前記円弧の境界を上底部とし、この上底部には曲率Ｒ２を有する丸み形状を有し、Ｒ＞Ｒ２とした請求項５又は６に記載の冷蔵庫。
【請求項８】
前記深さの異なる収納部の境界位置に凸形状部を有し、前記深さの異なる収納部のうち、浅い方の収納部の底面には前記凸形状部よりも低い高さの凸部が等ピッチで設けられており、各前記凸部は冷蔵庫幅方向に一列に並ぶように配置され、かつ、前側又は後側の隣り合う列の凸部とは互い違いになるように配置された請求項１乃至７のいずれかに記載の冷蔵庫。
【請求項９】
前記凸部は円柱形状であり、この円柱形状の上端の円周上の角部を丸み形状とした請求項８に記載の冷蔵庫。
【請求項１０】
前記容器が引き出し式扉を有する野菜室に配設されることを特徴とする請求項１乃至９のいずれかに記載の冷蔵庫。
【発明の詳細な説明】
【技術分野】
【０００１】
本発明は引出し式の扉を有する冷蔵庫に関する。
【背景技術】
【０００２】
引出し式の扉を有する冷蔵庫において、引出し式の扉とともに引き出される引出し容器を備えたものとして特許文献１に記載のものがある。特許文献１には、野菜室の引出し容器を上下段容器によって構成し、上段容器は下段容器上をスライド移動可能とし、上段容器の深さを２段階とした構成が開示されている。
【０００３】
【特許文献１】特開平１０−６８５８５号公報
【発明の開示】
【発明が解決しようとする課題】
【０００４】
特許文献１に記載の従来例は、収納物の大きさのバラツキを考慮して、上段容器の収納部深さを２段階とし、段部の延長部には落下防止用の立上りを設けている。この従来例を図面を用いて説明する。
【０００５】
図７は、引出し式の野菜室に配置される容器を有する冷蔵庫の従来例を示す図である。図７（ａ）は正面から見た野菜室２’部分の断面図であり、図７（ｂ）は側面から見た野菜室２’部分の断面図である。図７に示す野菜室容器は、上段容器６’と下段容器７’との容器構成からなり、野菜室の引出し式の野菜室扉８’によって、上下段容器が一緒に引き出される。上段容器６’の収納部深さを２段階とし、その分割線上の段部となる位置に落下防止用の立上り１６’を設けたことによって、球状や円筒状の収納物であっても収納部Ｂから収納部Ｃへと落下することを防止し、収納整理を容易としている。
【０００６】
しかしながら、上記の従来例は、異なる収納部間の移動（例えば、落下）を防止するものであり、各収納部内の移動について考慮されたものではない。特許文献１に記載のように、上段容器６’の浅い収納部Ｂにブドウ、サクランボ、イチゴ、プチトマトなどのパック容器、シイタケ、サヤインゲンなどのトレー容器、モヤシ、ピーマン、ナメコなどの袋物、モモ、オレンジ、レモン、トマトなどを収納した場合を例として考えると、引出し式扉の開閉によってこれらの収納物が移動し、衝突する場合がある。特に、球状や円筒状の収納物は転がりやすい。
【０００７】
また、浅い収納部Ｂには小さい収納物が載置されることを考慮すると、収納部Ｂには、引出し式扉の開閉により移動しやすい収納物が収納されるといえる。このような場合に、例えばモモやトマトのように衝撃に極めて弱い収納物は、衝突によって傷つき、劣化の原因となってしまう。また、オレンジが転がってモヤシ袋に乗り上げてしまい、押しつぶすようなことも考えられる。
【０００８】
収納部Ｃについても、同様なことが考えられる。例えば特許文献１に記載のように、グレープフルーツのような大きな柑橘類、大きめのパック容器に入っているスモモ、ビワを収納した場合には、グレープフルーツのような球形の収納物が扉の開閉によって転がり、他の収納物と衝突すると劣化の原因となってしまう。
【０００９】
一方、２ＬのＰＥＴ容器の普及に伴い、冷蔵庫内にこれらを収納する要求が高まっている。このような飲料物については、冷蔵室の回転式扉の収納室に備えられるドアポケット収納部に収納されることが多いが、野菜室のような引出し式扉に収納するケースも多い。特許文献１は立て収納部Ａを備えており、この位置に飲料物を収納可能であるが、さらに多くの飲料物を収納する場合については考慮されていない。また、近年のワインブームの影響もあって、冷蔵庫内にワインボトルを収納したいというニーズが高まっているが、上記の特許文献１はこれらについて考慮されたものではなかった。
【００１０】
本発明は、上記課題に鑑みてなされたものであり、引出し式の扉を有する冷蔵庫において、収納性に優れた容器構成を備えた冷蔵庫を提供することを目的としている。
【課題を解決するための手段】
【００１１】
上記目的を達成するために、引出し式の扉とともに引き出される容器を上下２段で構成し、下段容器の開口部の一部を覆う上段容器を前記下段容器上を前後にスライド移動可能とし、前記上段容器の底面を複数段とすることによって深さの異なる収納部を複数備えた冷蔵庫において、本発明は、以下の構成を備えた。
【００１２】
まず第一に、前記上段容器の各収納部の底面にそれぞれ異なる形状の転がり防止形状を有する構成とした。
【００１３】
また、第二に、前記深さの異なる収納部の各収納部の底面形状をそれぞれ異なる形状とした。
【００１４】
第三には、前記上段容器の底面に段部を有して深さの異なる収納部を備え、前記上段容器及び下段容器はともに樹脂材料からなり、前記深さの異なる収納部のうち、深い方の収納部の底面形状を、浅い方の収納部よりも大きな断面係数となる形状として収納部底面の強度を高める構成とした。
【００１５】
第四には、前記上段容器及び下段容器はともに樹脂材料からなり、前記深さの異なる収納部のうち、深い方の収納部の底面形状を、平面形状よりも大きな断面係数となる形状として収納部底面の強度を高める構成とした。
【００１６】
第五に、上記の構成を有するものにおいて、前記深さの異なる収納部のうち、深い方の収納部の底面を曲率Ｒを有する円弧が左右方向隣り合って形成された形状とした。また、前記上段容器の周囲壁の高さを２Ｒ以上とした。さらに、前記円弧の最下点位置を下底部とし、左右方向に隣り合って形成された前記円弧の境界を上底部とした場合において、この上底部には曲率Ｒ２を有する丸み形状を有し、この曲率Ｒ２をＲ＞Ｒ２の関係とした。
【００１７】
また、上記の構成を有するものにおいて、前記深さの異なる収納部の境界位置に凸形状部を有し、前記深さの異なる収納部のうち、浅い方の収納部の底面には前記凸形状部よりも低い高さの凸部が等ピッチで設けられており、各前記凸部は冷蔵庫幅方向に一列に並ぶように配置され、かつ、前側又は後側の隣り合う列の凸部とは互い違いになるように配置された構成とした。さらに、前記凸部は円柱形状であり、この円柱形状の上端の円周上の角部を丸み形状とした。
【００１８】
また、上記の構成を引き出し式扉を有する野菜室に配設させたことも特徴の一つとしている。
【発明の効果】
【００１９】
本発明によれば、引出し式の扉を有する冷蔵庫において、収納性に優れた容器構成を備えた冷蔵庫を提供することができる。
【発明を実施するための最良の形態】
【００２０】
以下、本発明の実施例を図面を用いて説明する。図１は、本発明の冷蔵庫の一実施形態を示す外観斜視図であり、野菜室扉３を開いた状態を示している。本実施例の冷凍冷蔵庫１は、冷蔵室、野菜室、及び冷凍室を備えており、それぞれ回転式の冷蔵室扉２、引出し式の野菜室扉３、及び引出し式の冷凍室扉４によって前面の開口部が閉塞されている。
【００２１】
野菜室には、野菜室扉３とともに引き出される樹脂製の野菜室容器５、６が備えられており、上段側の容器５（以下、上段容器という。）は、下段側の容器６（以下、下段容器という。）の上をスライド移動可能な構成としている。したがって、野菜室扉３を開くと下段容器６とともに上段容器５も引き出され、上段容器５に収納された収納物が取り出せることはもちろん、上段容器５の下側の収納物も、上段容器５を奥側にスライドさせることによって取り出しが可能である。なお、野菜室扉３を引き出すと下段容器６のみが引き出されるように構成してもよい。その場合には、上段容器５の収納物を取り出すには、野菜室扉３を開いた後、奥側に残された上段容器５を手前側に引き出せばよい。なお、本明細書において、上段容器５と下段容器６とを併せて単に野菜室容器と称する場合がある。
【００２２】
図２は、本実施例の上段容器５の外観斜視図である。上段容器５の底面に段部を備えることによって、複数の収納部に分割され、各収納部の深さをそれぞれ異なる深さとしている。本実施例の上段容器５は、深さの浅い第一収納部７と、深さの深い第二収納部８とが左右に形成される。両収納部の境界部には、境界線上に延伸する凸形状部９を有しており、第一収納部７から第二収納部８への収納物の落下を防止している。なお、この上段容器５は、図１から明らかなとおり、野菜室扉３とともに図２に示す矢印１０方向（前後方向）に移動する。
【００２３】
第一収納部７の底面には凸部１１が等ピッチで点在している。本実施例の凸部１１は、後述するように、収納物の移動を抑制するために設けられている。この凸部１１と衝突に弱い収納物とがぶつかった場合には、食料品劣化の原因となってしまう場合があるため、食料品が損傷しないように角部のない形状として円柱形状としている。また、円柱形状の上端の円周上の角部も丸み形状とすることによって、収納物の損傷を極力低減する形状としている。第二収納部８の底面は波形の形状としている。これらの第一収納部７及び第二収納部８の底面形状による作用については後述する。
【００２４】
上段容器５の外周を覆う周囲壁の上端部にはフランジが形成され、両側面部のフランジ１２が下段容器６の外周壁の上端に載置される。この構成によって、下段容器６とともに上段容器５が引き出され、かつ、下段容器６上をスライド移動可能としている。また、上段容器５の両側部のフランジ１２の折り返し部には、突出リブ１４が設けられている。上段容器５を下段容器６よりもさらに奥側へとスライドさせる場合に、野菜室内の内箱部に形成される図示しないリブ形状部に、この突出リブ１４が載置されることによって、上段容器５をさらに庫内奥側へと移動可能にしている。
【００２５】
本実施例の上段容器５は、前方部フランジ１３の高さを、両側部のフランジ１２よりも低くしており、上段容器５への収納、及び上段容器５内の収納物の取り出しを容易にしている。また、前方部フランジ１３には、上段容器５を前後にスライド移動させるための取手部１５がほぼ中央に位置しており、使用者はこの取手部１５に指を入れて手前側に引くことによって、上段容器５を手前側にスライドさせる。このように、本実施例の上段容器は、第一収納部７と第二収納部８の深さをそれぞれ異なる深さとしているだけではなく、その底面を異なる形状としたことを特徴としている。このように異なる形状とすることによって、各食料品に合った収納部形状とすることができるだけではなく、後述するように上段容器５の全体的な強度の向上にもつながる。
【００２６】
図３は、図２のＡ−Ａ断面を矢印方向から見た断面図であり、本実施例の上段容器５の断面形状を説明するための図である。図４は、本実施例の上段容器５を上方から見た上面図である。なお、図４（ｂ）は、第一収納部７を説明するために、上段容器５の一部を拡大して示した図である。これらの図を用いて第一収納部７及び第二収納部８の底面形状について説明する。
【００２７】
まず第一収納部７の底面形状について説明する。第一収納部には凸部１１が等ピッチで設けられており、各凸部１１は冷蔵庫幅方向に一列に並ぶように配置されている。すなわち、野菜室扉３の引き出し方向と直交する方向（冷凍冷蔵庫１の幅方向）に整列するように設けられている（以下、この整列の並びを「列」という。）。また、図４に示したように、前側又は後側の隣り合う列の凸部１１とは互い違いになるように配置されている。
【００２８】
すなわち、同列の隣り合う凸部の中央位置の前方あるいは後方には、前の列あるいは後の列の凸部が配置される。この関係を図４を用いて説明する。図４に示す列のうち、Ａ列の凸部１１ａと隣り合う凸部１１ｆとの間の後方には、Ｂ列の凸部１１ｇが配置されており、凸部１１ｆと反対側で隣り合う凸部１１ｃとの間の後方には、Ｂ列の凸部１１ｂが配置されている。
【００２９】
また、一つの凸部の周囲には六つの凸部が配置されており、これら六つの凸部との距離は、すべて等しくなるように配置される。すなわち、同一列の隣り合う凸部間の距離と、その隣り合う凸部の間であって、その前方又は後方に位置する凸部との間の距離とが等しくなるように配置されている。この関係を図４を用いて説明する。凸部１１ａと同列で隣り合う凸部１１ｆ及び凸部１１ｃとの間の距離は、その間の後方に位置する凸部１１ｇ及び凸部１１ｂとの間の距離、及び前方に位置する凸部１１ｄ及び１１ｅとの間の距離と等しくなるように配置されている。本実施例では、いずれも距離Ｌ２を隔てて凸部１１が形成されている。
【００３０】
第一収納部７を、上記のような凸部の配置としたことによって、次のような効果を有する。
【００３１】
野菜室扉３が引き出されると、第一収納部７に収納された食料品は、慣性によって相対的に上段容器５の後方へと力を受けてしまう。特に、球形状の果物類などは転がりやすいため、隣り合って収納される食料品と衝突する場合や、後方の隔壁部と衝突する場合がある。本実施例の上段容器５は、上述したように、引き出し方向と直交する方向に一列に凸部１１を並べているため、野菜室扉３の開閉時における前後方向への食料品の移動を抑えることができる。
【００３２】
また、各列の凸部が互い違いになるように配置されているため、過剰な転がりを防止することができる。図４を用いて説明すると、野菜室扉３の引き出し時に、収納物が後方への力を受けてしまい、凸部１１ａと凸部１１ｆの間を収納物が通って、Ａ列で移動を規制できなかったとしても、その後方の列（Ｂ列）には凸部１１ｇが設けられているため、過剰な転がりを抑制することができる。
【００３３】
そして、各凸部間の距離が等しくなるように凸部を配置しているため、各凸部の間の平面形状部を均一に大きく形成することができ、また、凸部によって形成される列構造が、冷蔵庫幅方向だけではなく、あらゆる方向に形成される。すなわち、凸部１１ａ、１１ｂ、１１ｃを結ぶ三角形が正三角形状としているため、例えば、図４においては、凸部１１ａと凸部１１ｂとを通る直線上にも斜めの列が形成され、あらゆる方向に対して転がり防止効果を奏するものである。したがって、いずれの方向に対しても、各凸部の間の前方又は後方位置に凸部が配置されることになるため、斜め後方への転がりをも規制することができる。
【００３４】
第一収納部７をこのような底面形状とすることによって、第一収納部７に、モモやトマトのように衝撃に極めて弱い収納物が収納された場合であっても、転がりを防いで衝突を抑制できる。また、オレンジのような球形状の収納物も転がりを効果的に防止できるため、モヤシ袋に乗り上げてしまい、押しつぶすようなことも防止可能である。
【００３５】
なお、第一収納部７と第二収納部８の境界線上に延伸する凸形状部９は、凸部１１よりも高く形成されており、凸部１１を乗り上げるほどの衝撃を受けた場合であっても、第一収納部７から第二収納部８への収納物の落下を防止できる。
【００３６】
次に、第二収納部８の底面形状について説明する。第二収納部８の底面は、前述したとおり、転がり防止形状を有している。本実施例では転がり防止形状として、具体的には、図３（ｂ）に示すように半径Ｒ１とした円周の円弧をＬ１間隔で配置している。また、隣り合う円弧の間（上底部１６）が鋭角とならないように半径Ｒ２の丸み形状を形成しており、収納物だけではなく、冷蔵庫の使用者の手を保護している。なお、Ｒ＞Ｒ２とし、これによって、「転がり防止」と「収納物及び使用者保護」とを両立させている。
【００３７】
このように第二収納部８の底面を形成することによって、ビール瓶やワインボトル等を転がらずに収納することができる。図３（ｃ）に示すように、円柱形上の収納物α（例えばワインボトルやビール瓶）が配置される場合、底面の波形形状によって幅方向への移動を規制される。
【００３８】
本実施例では、底面の円弧形状の曲率Ｒ１と等しい半径を有するボトルが載置された場合には底面全体がボトルとフィットし、転がりを効果的に防止することができる。また、半径がＲ１よりも小さい円柱形状収納物が載置された場合であっても、この収納物と底面との接触位置が、上底部１６間に収まるため、この上底部１６が移動規制部となって、転がりを防止できる。一方、半径がＲ１よりも大きい収納物が載置された場合は、この収納物は隣り合う上底部１６によって二点で支持されることになるため（断面においては二点だが、奥行方向を考慮すると実際には両上底部１６による二直線）、底面を平面形状とした場合と比較して冷蔵庫幅方向に対して転がり難い。なぜなら、底面が平面形状の場合には、収納物と底面との接触は点（奥行方向の一直線）となってしまうため、幅方向への移動を規制する術が無いからである。
【００３９】
また、底面円弧に一致した収納物（半径Ｒ１の円柱状収納物）を載置しても、この収納物の上端より側壁高さを高くしている。すなわち、本実施例のようにＲ１の半径を有する円弧とした場合においては、側壁高さ（フランジ１２位置）を２Ｒ１以上としている。したがって、このような収納物を載置した場合であっても野菜室容器の移動の障害となることはなく、野菜室扉３の開閉には何ら不都合は生じない。なお、各収納部の深さについては後述する。
【００４０】
また、第一収納部７は、第二収納部８よりも大きな幅を有する。したがって、上段容器５の前方部フランジ１３の幅方向中央部に設けられた取手部１５は、第一収納部７の前方位置に設けられている。前方部フランジ１３は、両側部のフランジ１２よりも低く設定されていることから、第二収納部８にワインボトル等を収納する場合には、ボトルの栓部近傍の幅狭部を前方部フランジ１３上に載置して収納可能である。その際、前方部フランジ１３に設けられた取手部１５は、第二収納部８に収納されたワインボトルの収納状態に影響を与えることはない。
【００４１】
さらに具体的には、把手部１５の幅寸法を次のように設定することが有効である。すなわち、第二収納部８の底面に設けられた波型形状の下底部１７のうち、最も第一収納部７側に位置する下底部の隣りに位置する下底部１７よりも、上段容器５の幅方向中央位置よりに、把手部１５の端部が位置するように把手部１５の幅寸法を定める。この構成によって、最も第一収納部７側に位置する下底部の隣りに位置する下底部１７上にワインボトルが載置された場合に、ワインボトルの栓部近傍の幅狭部が把手部１５によって影響を受けない構成とできる。
【００４２】
表１は、野菜室に収納が想定される代表的な食品の大きさ、重量等を表す表である。これらの各食品を、それぞれの有する大きさに合わせて冷蔵庫使用者が庫内に収納する。
【００４３】
【表１】
2006183898.tif 000003
表に示したとおり、野菜室に収納される食品群は形態も様々であり、重量及び容量、サイズも様々となっているため、それぞれの性質に合わせた収納形態がとられる。傾向としては、サイズの大きな収納物は下段容器６に、サイズが比較的小さい収納物が上段容器５に収納される。また、重量の大きいものは下段容器６に収納され、上段容器５には重量の比較的小さいものが収納される。また、衝撃に弱い食品の上には、通常は他の食品を載置するようなことは避けられるため、このような食品は積み重ねができないように上段容器５へと収納されることが多い。
【００４４】
上段容器５に収納が想定されるものとして、例えば、長ネギ、もやし、しいたけ、トマト、プチトマト、なめこ、ピーマン、桃、ブドウ、レモン、すもも、びわ、さくらんぼ、グレープフルーツ、イチゴパック等が挙げられる。これらが第一収納部７に収納されるにあたっては、これらのサイズを考慮して、凸部１１の径やピッチが定められる。
【００４５】
例えば、長ネギ単体を収納する場合、前後に長く収納する際には、野菜室扉３の引出し方向と一致するため、そもそも転がり難く、凸部１１が設けられていること自体で転がりが防止される。一方、左右に長く収納する場合には、野菜室扉３の開閉によって転がるおそれがあるため、長ネギの径２０ｍｍを考慮して、各列の間の平面部を約２０ｍｍ確保している。図４（ｂ）に示したＡ列の最後端位置を結ぶ直線とＢ列の最前端位置を結ぶ直線との間の距離を約２０ｍｍとすることによって、転がりはこの範囲で抑えられる。
【００４６】
また、トレーやパックの収納物の場合には、一列の凸部のみで支持されると、野菜室扉３の開閉時の衝撃によって、支持点を支点として回動して平面部に衝突してしまうため、これを防止するピッチとしている。例えば、図４（ｂ）に示すように凸部１１の径を２０ｍｍと設定した場合、Ｌ２寸法を４５〜４６ｍｍとすればよい。この場合、例えば、桃のトレーの中央位置が凸部１１ａ上に載置された場合であっても、Ａ列より前方の凸部１１ｅ（又は１１ｄ）の中心位置と、Ｂ列の凸部１１ｇ（又は１１ｂ）の中心位置との間の距離を約８０ｍｍとすることができ、凸部はφ２０であることから、必ず３つの列にまたがって載置され、衝撃を受けることはない。
【００４７】
また、球状収納物は、各凸部間の平面部に載置すればよく、上述のように凸部１１によって過剰な転がりが防止される。
【００４８】
飲料類は、通常は、下段容器６に立てて収納されるケースが多く、例えば、従来例として示した図７の収納部Ａのように、上方に上段容器５のない下段容器６前方の「立て収納部」に収納される。本実施例においても、上段容器５の奥行寸法は下段容器６の奥行寸法よりも小さく設定されているため、このような「立て収納部」を有しており、この位置に飲料類を収納可能である。
【００４９】
本実施例では、寝かせて保存されるケースの多いワインや、上記の立て収納部に収納し切れない容器を、第二収納部８に収納可能とした。飲料類は、上段容器６に収納される他の野菜・果物類と比較して重量が重いため、第一収納部７よりも断面係数の大きな底面形状とし２リットルのＰＥＴ容器や、ビールビン、ワインボトル等を複数本、収納可能としている。この断面形状については後述する。
【００５０】
図３に示したように、Ｒ１の曲率を有する底面形状としたため、表１に示した１．５リットルＰＥＴ容器、ビール類、ワイン類のいずれも転がりを防止しながら収納することができる。具体的には、これらを収納可能とするために、Ｒ１を５０ｍｍに設定している。また、上述のように、第二収納部８の側壁高さを２Ｒ１以上としたため、野菜室扉３の開閉によっても、収納物が他の部材と衝突することが避けられる。
【００５１】
図５は、本実施例の上段容器５の断面図であり、図６は本実施例の冷凍冷蔵庫１の野菜室３部分の前面図である。以下、図３乃至図６を用いて野菜室容器に収納される食品との関係から、本実施例の上段容器５の構成について説明する。
【００５２】
第一収納部７に収納される野菜・果物類としては、長ネギ、もやし、しいたけ、トマト、プチトマト、なめこ、ピーマン、桃、ブドウ、レモン、すもも、びわ、さくらんぼ、イチゴパック等が挙げられるが、これらを収納可能とするために第一収納部の側壁高さＨ１を設定した。具体的には、下段容器６に収納しづらいパックやトレーの収納物が載置可能なようにＨ１寸法を９６ｍｍ以上とした。また、上述のように、長ネギを幅方向、前後方向のいずれにも収納可能とするため、例えば、半分に切った長ネギが収納されることを想定し、第一収納部７の幅寸法Ｗ１を約２６０ｍｍとした。
【００５３】
第二収納部８に収納される円柱形容器の飲料物として、１．５リットルのＰＥＴ容器を例に挙げると、この容器の直径φ１．５に対し、隣り合う下底部１７間の距離Ｌ１を、
３Ｌ１／２＞φ１．５／２
とすれば、容器は載置される下底部１７の両隣りの凹形状部の範囲に収まる。本実施例では、φ１．５＝９３の１．５リットルＰＥＴ容器に対し、Ｌ１寸法を３３ｍｍとしている。なお、ワイン類やビール類については、１．５リットルＰＥＴ容器よりも径が小さいため、本実施例の第二収納部８内に複数本が収納可能である。
【００５４】
また、断面が略矩形状をしているものが多い２リットルＰＥＴ容器については、ＰＥＴ容器幅の方向に立てて収納させることを考慮し、側壁高さＨ２を１０３ｍｍ以上としている。また、本実施例のように、波型形状の底面とした場合には、上底部１６と下底部１７によって、若干傾斜して収納される場合があることを想定して、さらに余裕を持たせる必要がある。そこで、上底部１６と下底部１７との高さの差ｈ２を考慮し、側壁高さＨ２を１１５ｍｍ以上とした。さらには、野菜室扉３の開閉時に、野菜室の上方に位置する貯蔵室である冷蔵室との間の仕切部等の冷蔵庫側の部品に収納物が衝突することを防止するため、第二収納部８底面から冷蔵庫側の部品までの高さＨ３寸法を１２０ｍｍとした。
【００５５】
また、収納が想定される飲料容器を複数本並べて第二収納部８内に収納可能とするため、第二収納部８の幅寸法Ｗ２を
Ｗ２＞２φ１．５
とした。具体的には、１９０ｍｍ以上の幅寸法を確保した。
【００５６】
なお、第一収納部７と第二収納部８との間の高低差ｈ１は、下段容器６の深さや下段容器６に収納される収納物を考慮して定められるが、本実施例では、これに加え、第二収納部８から第一収納部７へと飲料物が転がらない高低差としている。すなわち、第二収納部８に飲料容器を収納可能としたため、これらが第一収納部７内へと転がってしまうと、食品を傷めてしまうことになり得る。
【００５７】
本実施例のような底面形状とした場合、転がり方向と野菜室扉３の開閉方向とは一致しないため、飲料容器の重心位置よりも低い高低差であっても問題はなく、ｈ１を２０ｍｍ以上とすれば、たとえ円柱形飲料容器であっても第二収納部８から第一収納部７へと乗り上げることはない。
【００５８】
以下、底面形状の強度について説明する。本実施例の野菜室容器は、樹脂製であることから、上記のように２ＬサイズのＰＥＴ容器やビール瓶、ワインボトルのような重量のある収納物を第二収納部８に載置すると、容器のたわみの原因となる。上段容器５は、突出リブ１４によって下段容器６に載置されており、下段容器６上を摺動して前後方向にスライド移動するため、下段容器６の変形にもつながってしまう。
【００５９】
また、下段容器６内に収納された食品を取り出すにあたっては、上段容器５を奥側へとスライド移動させるが、下段容器６よりもさらに奥側へとスライドさせる場合には、野菜室内の内箱部に設けられる載置部に突出リブ１４が載置されて、この載置部上をスライド移動することによってなされる。このとき、上段容器５が大きくたわんでしまうと、突出リブ１４が載置できず、落下の原因となってしまう。
【００６０】
また、第一収納部７のように、底面に凸部１１を形成することによって、平面形状と比較するとたわみの低減が可能であるが、第二収納部８に収納される食品は、上述のように重量の大きいものが多いため、さらに強度を向上させる必要がある。
【００６１】
そこで、本実施例では、以下のような構成としている。
【００６２】
すなわち、上段容器５と下段容器６が樹脂材料からなるような本実施例では、深さの異なる第一収納部７と第二収納部８を備えた場合において、深い方の収納部である第二収納部の底面形状を、平面形状よりも大きな断面係数となる形状とすることによって、重い収納物が収納された場合であっても、従来例と比較して野菜室容器の強度を向上でき、たとえ２リットルＰＥＴ容器を複数本収納した場合であっても、実際の収納状態における強度は十分に維持することができる。
【００６３】
さらには、第二収納部８の底面形状を、浅い方の収納部である第一収納部７よりも大きな断面係数となる形状として収納部底面の強度を高める構成としている。このような構成とすることによって、上段容器５全体としての強度が高まり、第二収納部８に複数本の２リットルＰＥＴ容器を収納した場合であってもたわみが低減され、下段容器６の変形の防止と、上段容器５の奥側へのスライド移動が可能な構成とすることができる。
【００６４】
以上、本実施例によれば、上段容器５上に球形状（トマト、オレンジ、グレープフルーツ等）や円柱形状の転がりやすい収納物（大根、長ネギ、ＰＥＴ容器、ワインボトル、ビール瓶等）の収納物の同一収納部内における転がりを低減し、収納物同士の衝突や周囲壁との衝突による食品の劣化を防ぐことができる。
【００６５】
また、このように重量の大きい飲料物を収納可能としたことによって、これらの収納物が樹脂製容器内の収納部に収納された場合であっても、容器のたわみ、変形を低減することができる。
【図面の簡単な説明】
【００６６】
【図１】本実施例の冷凍冷蔵庫の外観斜視図である。
【図２】本実施例の上段容器の外観斜視図である。
【図３】図２のＡ−Ａ断面図である。
【図４】本実施例の上段容器を上方から見た上面図である。
【図５】本実施例の上段容器の断面図である。
【図６】本実施例の冷凍冷蔵庫の野菜室部分の前面図である。
【図７】引出し式の野菜室に配置される容器を有する冷蔵庫の従来例を示す図である。
【符号の説明】
【００６７】
３…野菜室扉、５…上段容器、６…下段容器、７…第一収納部、８…第二収納部、９…凸形状部、１１…凸部、１２…フランジ、１４…突出リブ、１６…上底部、１７…下底部。
【図１】
2006183898.tif 000004
【図２】
2006183898.tif 000005
【図３】
2006183898.tif 000006
【図４】
2006183898.tif 000007
【図５】
2006183898.tif 000008
【図６】
2006183898.tif 000009
【図７】
2006183898.tif 000010